【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
複数のクライアントが接続されたネットワークに接続されたネットワークスキャナ装置であって、
ネットワークスキャナ装置でスキャンされたスキャンデータの送信対象となる上記複数のクライアントにネットワーク上におけるクライアント情報の問合せを行うクライアント情報要求部と、
上記問合せに対する応答としてクライアントから出力される識別情報を受信する識別情報受信部と、
ネットワークスキャナ装置での読取条件をクライアントから受信する読取条件受信部と、
上記読取条件に基づいて読み取りを実行する読取制御部と、
読み取られたスキャンデータを上記クライアントに送信するスキャンデータ送信部と、
を備えることを特徴とするネットワークスキャナ装置。
【請求項２】
上記クライアント情報要求部は、上記問合せを同報通信として送信することを特徴とする上記請求項１に記載のネットワークスキャナ装置。
【請求項３】
上記クライアント情報要求部は、ネットワークスキャナ装置の起動時に上記問合せを行うことを特徴とする上記請求項１または上記請求項２に記載のネットワークスキャナ装置。
【請求項４】
上記スキャンデータの送信先クライアントを特定する送信先特定部と、
ユーザからの読取指示を受け付けると、上記送信先特定部によって特定されたクライアントに読取イベント通知を送信し、該読み取りイベント通知の応答として上記読取条件を受信する読取条件受信部と、
を更に備えることを特徴とする上記請求項１〜請求項３の何れか一項に記載のネットワークスキャナ装置。
【請求項５】
複数のクライアントが接続されたネットワークに接続されたネットワークスキャナ装置の制御方法であって、
上記ネットワークスキャナ装置でスキャンされたスキャンデータの送信対象となる上記複数のクライアントにクライアント情報の問合せを行うクライアント情報要求工程と、
上記問合せに対する応答としてクライアントから出力される識別情報を受信する識別情報受信工程と、
上記ネットワークスキャナ装置での読取条件をクライアントから受信する読取条件受信工程と、
上記読取条件に基づいて読み取りを実行する読取制御工程と、
読み取られたスキャンデータを上記クライアントに送信するスキャンデータ送信工程と、
を備えることを特徴とするネットワークスキャナ装置の制御方法。
【請求項６】
複数のクライアントが接続されたネットワークに接続されたネットワークスキャナ装置を制御するプログラムを記録したコンピュータ読取可能な記録媒体であって、
上記ネットワークスキャナ装置でスキャンされたスキャンデータの送信対象となる上記複数のクライアントにクライアント情報の問合せを行うクライアント情報要求機能と、
上記問合せに対する応答としてクライアントから出力される識別情報を受信する識別情報受信機能と、
上記ネットワークスキャナ装置での読取条件をクライアントから受信する読取条件受信機能と、
上記読取条件に基づいて読み取りを実行する読取制御機能と、
読み取られたスキャンデータを上記クライアントに送信するスキャンデータ送信機能と、
を実現させることを特徴とするネットワークスキャナ装置の制御プログラムを記録したコンピュータ読取可能な記録媒体。
【手続補正２】
【補正対象書類名】明細書
【補正対象項目名】発明の名称
【補正方法】変更
【補正の内容】
【発明の名称】ネットワークスキャナ装置、ネットワークスキャナ装置の制御方法およびネットワークスキャナ装置の制御プログラムを記録したコンピュータ読取可能な記録媒体
【手続補正３】
【補正対象書類名】明細書
【補正対象項目名】０００１
【補正方法】変更
【補正の内容】
【０００１】
本発明は、スキャナをネットワークに接続して同ネットワークに接続された他のクライアントでスキャンデータを受領するネットワークスキャナ装置、ネットワークスキャナ装置の制御方法およびネットワークスキャナ装置の制御プログラムを記録したコンピュータ読取可能な記録媒体に関する。
【手続補正４】
【補正対象書類名】明細書
【補正対象項目名】０００５
【補正方法】変更
【補正の内容】
【０００５】
また、画像データの記憶領域を有するものでも、画像データをネットワーク上に公開することになるのでセキュリティの問題は避けられない。
本発明は、上記課題にかんがみてなされたもので、簡易な設定と操作で利用することが可能なネットワークスキャナ装置、ネットワークスキャナ装置の制御方法およびネットワークスキャナ装置の制御プログラムを記録したコンピュータ読取可能な記録媒体の提供を目的とする。
【手続補正５】
【補正対象書類名】明細書
【補正対象項目名】０００６
【補正方法】変更
【補正の内容】
【０００６】
上記目的を達成するため、本発明のネットワークスキャナ装置では、複数のクライアントが接続されたネットワークに接続されたネットワークスキャナ装置であって、ネットワークスキャナ装置でスキャンされたスキャンデータの送信対象となる上記複数のクライアントにネットワーク上におけるクライアント情報の問合せを行うクライアント情報要求部と、上記問合せに対する応答としてクライアントから出力される識別情報を受信する識別情報受信部と、ネットワークスキャナ装置での読取条件をクライアントから受信する読取条件受信部と、上記読取条件に基づいて読み取りを実行する読取制御部と、読み取られたスキャンデータを上記クライアントに送信するスキャンデータ送信部と、を備える構成としてある。
上記のように構成すると、上記クライアント情報要求部がネットワークスキャナ装置でスキャンされたスキャンデータの送信対象となる上記複数のクライアントにネットワーク上におけるクライアント情報の問合せを行い、上記識別情報受信部が上記問合せに対する応答としてクライアントから出力される識別情報を受信する。そして、上記読取条件受信部がネットワークスキャナ装置での読取条件をクライアントから受信し、上記読取制御部が上記読取条件に基づいて読み取りを実行して、上記スキャンデータ送信部が読み取られたスキャンデータを上記クライアントに送信する。
また、スキャナをネットワークに接続するスキャンサーバと、同ネットワークに接続されて上記スキャンサーバから画像データを受領するスキャンクライアントとを有するネットワークスキャナ装置であって、上記スキャンサーバは、上記ネットワークを介して待機状態にある上記スキャンクライアントに識別データの送信を促して転送先のスキャンクライアントを検出するクライアント検出手段と、上記スキャナを制御して画像を読み取らせ、読み取られた画像データを上記検出されたクライアントに転送する読み取り転送手段とを有し、上記スキャンクライアントは、画像データを保存可能な記憶手段と、上記クライアント検出手段が上記ネットワークを介してスキャンクライアントを検出する際に当該スキャンクライアントのネットワーク上における識別データを返信する識別データ返信手段と、上記スキャンサーバから転送される画像データを所定の態様で上記記憶手段に保存する画像データ保存制御手段とを有する構成としてもよい。
【手続補正６】
【補正対象書類名】明細書
【補正対象項目名】０００７
【補正方法】変更
【補正の内容】
【０００７】
このように構成すると、スキャンサーバのクライアント検出手段が、上記ネットワークを介して待機状態にある上記スキャンクライアントに識別データの送信を促すと、上記スキャンクライアントの識別データ返信手段は、当該スキャンクライアントのネットワーク上における識別データを返信するので、上記クライアント検出手段は転送先のスキャンクライアントを検出する。すると、スキャンサーバの読み取り転送手段は接続されているスキャナを制御して画像を読み取らせ、読み取られた画像データを検出されたスキャンクライアントに転送し、スキャンクライアントの画像データ保存制御手段は同転送される画像データを受領して所定の態様で記憶手段に保存する。
【手続補正７】
【補正対象書類名】明細書
【補正対象項目名】０００８
【補正方法】変更
【補正の内容】
【０００８】
すなわち、画像データを受領しようとするスキャンクライアントが識別データを出力可能な状態で待機しているので、スキャンサーバはこの識別データを受信してスキャンクライアントを特定できる。そして、スキャンサーバとスキャンクライアントとの間で画像データを転送する。
待機しているスキャンクライアントに識別データの送信を促す具体的な一例として、上記クライアント検出手段は、上記ネットワークに宛先を特定しない問い合わせの情報を含むブロードキャストパケットを送出し、上記識別データ返信手段は、上記ブロードキャストパケットの受信を待機し、受信すると上記識別データを返信する構成としてある。
【手続補正８】
【補正対象書類名】明細書
【補正対象項目名】０００９
【補正方法】変更
【補正の内容】
【０００９】
このように構成すると、宛先を特定しないブロードキャストパケットに問い合わせの情報を含めて送出するため、各スキャンクライアントは必然的にこのパケットを受信することになり、その内容から問い合わせであることを判別して識別データを送信する。
ブロードキャストを利用すれば、予めスキャンサーバにスキャンクライアントを登録しておく煩わしさを解消できる。しかしながら、ネットワークの構成上、ブロードキャストパケットは必ずしも全てのスキャンクライアントに到達しないこともある。このため、上記クライアント検出手段は、上記ブロードキャストパケットが到達しない上記スキャンクライアントに識別データの送信を促すパケットを送出する構成としてもよい。
【手続補正９】
【補正対象書類名】明細書
【補正対象項目名】００１０
【補正方法】変更
【補正の内容】
【００１０】
このように構成すると、上記ブロードキャストパケットが到達しない所定のスキャンクライアントに対して個別にパケットを送出して識別データの送信を促すため、利用できないスキャンクライアントはなくなる。
すなわち、上記ブロードキャストパケットが到達しないような場合でも、個別にパケットを送出して識別データの送信を促すことにより、特定のスキャンクライアントで利用できないという状況がなくなる。
【手続補正１０】
【補正対象書類名】明細書
【補正対象項目名】００１１
【補正方法】変更
【補正の内容】
【００１１】
さらに、上記スキャンクライアントは、上記読み取り条件情報を設定する読み取り条件情報設定手段を有するとともに、上記識別データ返信手段は、上記識別データを送信するとともに同設定された読み取り条件情報を送信し、上記クライアント検出手段は、上記読み取り条件情報を受信し、上記読み取り転送手段は、同読み取り条件情報に従って上記スキャナに画像の読み取りを行わせる構成としてもよい。
【手続補正１１】
【補正対象書類名】明細書
【補正対象項目名】００１２
【補正方法】変更
【補正の内容】
【００１２】
スキャナによる読み取りは、読み取り密度や原稿サイズや色数などの諸条件を変更できるのが通常である。一方、スキャナに一通りの読み取り条件を設定できるだけであると、複数のユーザがいる場合に利用しづらい。このため、各スキャンクライアントの側で読み取り条件情報設定手段を利用して読み取り条件の情報を設定できるようにしてもよく、このようにして設定した読み取り条件情報を上記識別データ返信手段が上記識別データとともに送信する。そして、上記クライアント検出手段が上記読み取り条件情報を受信する際には、上記読み取り転送手段が同読み取り条件情報を取得し、この取得した読み取り条件情報に従って上記スキャナに画像の読み取りを行わせる。
【手続補正１２】
【補正対象書類名】明細書
【補正対象項目名】００１３
【補正方法】変更
【補正の内容】
【００１３】
さらに、上記読み取り転送手段は、複数の上記読み取り条件情報を受信可能であり、いずれかを選択する条件情報選択手段を有する構成としてもよい。
個別に各ユーザが読み取り条件を設定しておいて利用できるようにするとしても、情報を設定するスキャンクライアントの側で操作しつつ、スキャナの設置場所で簡単に切り換えられないようでは使いづらい。このため、スキャンクライアントの側で設定した複数の読み取り条件情報を上記読み取り転送手段で受信し、条件情報選択手段を利用してその中のいずれかを選択する。
【手続補正１３】
【補正対象書類名】明細書
【補正対象項目名】００１４
【補正方法】変更
【補正の内容】
【００１４】
例えば、カラーでの読み取りと、モノクロでの読み取りとに対応した二つの読み取り条件情報を設定しておくと、それらは識別データとともに送信され、スキャナの側ではそれらを表示するなどしていずれか一方を選択することになる。
ネットワークに複数のユーザがいる場合、ブロードキャストパケットに対して待機している複数のスキャンクライアントが識別データを送信することになる。すると、スキャンサーバはすべてのスキャンクライアントに画像データを送信するとか、送信すべき相手とは異なる相手に送信する事態が生じうる。このため、上記読み取り転送手段は、複数の上記識別データを受信可能であり、同識別データに基づいてスキャンクライアントを選択するクライアント選択手段を有する構成としてもよい。
【手続補正１４】
【補正対象書類名】明細書
【補正対象項目名】００１５
【補正方法】変更
【補正の内容】
【００１５】
このように構成すると、複数の上記識別データが送信されても上記読み取り転送手段はそれらを受信し、クライアント選択手段で同識別データに対応したスキャンクライアントを選択する。例えば、識別データを表示して任意のものを選択できるようにする。そして、選択結果を取得して対応するスキャンクライアントに上記画像データを送信する。
さらに、上記画像データ保存制御手段は、上記画像データを編集用のコピーバッファ領域として保存し、同コピーバッファから任意にペースト可能とする構成としてもよい。
【手続補正１５】
【補正対象書類名】明細書
【補正対象項目名】００１６
【補正方法】変更
【補正の内容】
【００１６】
このように構成すると、送信されてきた画像データを上記画像データ保存制御手段が編集用のコピーバッファ領域に保存する。これにより、コンピュータのアプリケーションで利用する際には任意にペーストするだけでコピーバッファから転送される。
さらに、上記画像データ保存制御手段は、上記画像データを所定のファイル形式で保存する構成としてもよい。
【手続補正１６】
【補正対象書類名】明細書
【補正対象項目名】００１７
【補正方法】変更
【補正の内容】
【００１７】
このように構成すると、送信されてきた画像データを上記画像データ保存制御手段が記憶領域に対して所定のファイル形式で保存する。これにより、コンピュータのアプリケーションで利用する際には同ファイルを開いて読み込むだけで転送される。また、ファイル形式で保存されるので、再利用の可能性も高い。
このように、画像データを受領しようとするスキャンクライアントに識別データの出力を促し、スキャンサーバはこの識別データを受信してスキャンクライアントを特定して画像データを転送する手法は必ずしも実体のある装置に限られる必要はなく、その方法としても機能することは容易に理解できる。このため、請求項５にかかる発明のように、必ずしも実体のある装置に限らず、その方法としても有効であることに相違はない。
【手続補正１７】
【補正対象書類名】明細書
【補正対象項目名】００１９
【補正方法】変更
【補正の内容】
【００１９】
その一例として、請求項６にかかる発明は、ネットワークスキャナ装置を制御するプログラムを記録したコンピュータ読取可能な記録媒体として構成してある。
むろん、その記録媒体は、磁気記録媒体であってもよいし光磁気記録媒体であってもよいし、今後開発されるいかなる記録媒体においても全く同様に考えることができる。また、一次複製品、二次複製品などの複製段階については全く問う余地無く同等である。その他、供給方法として通信回線を利用して行なう場合でも本発明が利用されていることにはかわりない。
【手続補正１８】
【補正対象書類名】明細書
【補正対象項目名】００２２
【補正方法】変更
【補正の内容】
【００２２】
以上説明したように本発明は、スキャンデータを受領しようとするクライアントに識別情報の出力を促し、この識別情報を受信してネットワークスキャナ装置がクライアントを特定してスキャンデータを転送するようにしたため、煩わしい設定を行うことなく簡易にネットワークを介して読み取りを実施することが可能なネットワークスキャナ装置を提供することができる。
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】変更
【補正の内容】
【００２６】
さらに、請求項５にかかる発明によれば、同様の効果を奏するネットワークスキャナ装置の制御方法を提供でき、請求項６にかかる発明によれば、同様の効果を奏するネットワークスキャナ装置の制御プログラムを記録したコンピュータ読取可能な記録媒体を提供できる。